(57)【要約】【課題】トランスの外側への磁束の漏れを防止すること。【解決手段】コア部２３とＩ型コア４０を対向させ、所定の閉磁路Ａ，Ｂ，Ｃを形成し得るように構成されたトランス１０において、コア部２３は、底部１４と側枠１６とを有する有底の箱型形状をしたケース体１２と、その底部１４からＩ型コア４０向かって、互いに略平行となるように延出する支柱部１８および支柱部２０と、ケース体１２からＩ型コア４０に向かって、支柱部１８および支柱部２０と略平行となるように底部１４から延出する脚柱部２２とを有し、支柱部１８に巻回される１次巻線３８と、支柱部２０に巻回される２次巻線３９とを備え、コア部２３は共に、Ｉ型コア４０と当接する位置まで延出しており、かつ１次巻線３８の近傍には、１次巻線３８により発生する磁束の一部をケース体１２に導くためのＵ型コア４０が配置されている。【選択図】  図５
2006269585.tif 000002
【特許請求の範囲】
【請求項１】
一対のコアを対向させ、所定の閉磁路を形成すように構成されたトランスにおいて、
上記一対のコアの一方は、底部と側枠とを有する有底の箱型形状をしたケース体と、
その底部から上記一対のコアの他方に向かって、互いに略平行となるように延出する第１の支柱部および第２の支柱部と、
上記一対のコアの一方から上記一対のコアの他方に向かって、上記第１の支柱部および上記第２の支柱部と略平行となるように上記底部から延出する脚柱部と、を有し、
上記第１の支柱部に巻回される１次巻線と、上記第２の支柱部に巻回される２次巻線とを備え、上記第１の支柱部、上記第２の支柱部および上記脚柱部は、共に、上記一対のコアの他方と当接する位置まで延出しており、かつ上記１次巻線の近傍には、上記１次巻線により発生する磁束の一部を上記ケース体に導くための防磁用コアが配置されていることを特徴とするトランス。
【請求項２】
前記一対のコアの他方は、前記第１の支柱部と前記第２の支柱部とを結ぶＩ字型の形状をしたＩ型コアとなっており、当該Ｉ型コアにおける所定の位置には、前記脚柱部との間に所定の間隔を形成するための空隙部が形成されていることを特徴とする請求項１記載のトランス。
【請求項３】
前記防磁用コアはＵ字型をしており、前記ケース体の側枠の端面に沿って、当該端面と接触するように配置されていることを特徴とする請求項１または２記載のトランス。
【発明の詳細な説明】
【技術分野】
【０００１】
本発明は、液晶表示パネルにおけるバックライト用放電灯の点灯回路に用いられるトランスに関する。
【背景技術】
【０００２】
近年、カーナビゲーションやノートパソコン等の液晶モニタの薄型化に伴い、各種液晶モニタに組み込まれるトランス等の電子部品には、小型化および薄型化が求められている。
【０００３】
従来から、カーナビゲーションやノートパソコン等に使用される各種液晶表示パネルにおけるバックライト放電灯を点灯させるために、その点灯回路中にトランスが用いられている。このようなトランスは、例えば、特許文献１に開示されている。
【０００４】
【特許文献１】特開２００４−１０３８７７号（図１〜図４）
【発明の開示】
【発明が解決しようとする課題】
【０００５】
特許文献１に開示されるトランスは、リーケージトランスであり、閉磁路を構成する１次側と２次側の巻枠にそれぞれ１次巻線と２次巻線を巻回することによって１次側と２次側で電磁結合を発生させている。しかしながら、特許文献１に開示されるトランスは、閉磁路構造となっているが、巻線の外側は、磁性体によって覆われていない。このため、電磁結合によって発生した磁束の一部がトランスの外側に漏れ、当該漏れ磁束によって液晶ディスプレイにノイズが発生するという問題を有している。
【０００６】
本発明は、上記の事情にもとづきなされたもので、その目的とするところは、外部への磁束の漏れを防止できるトランスを提供しようとするものである。
【課題を解決するための手段】
【０００７】
上記課題を解決するために、本発明は、一対のコアを対向させ、所定の閉磁路を形成しするように構成されたトランスにおいて、一対のコアの一方は、底部と側枠とを有する有底の箱型形状をしたケース体と、その底部から、一対のコアの他方に向かって、互いに略平行となるように延出する第１の支柱部および第２の支柱部と、一対のコアの一方から一対のコアの他方に向かって、第１の支柱部および第２の支柱部と略平行となるように底部から延出する脚柱部とを有し、第１の支柱部に巻回される１次巻線と、第２の支柱部に巻回される２次巻線とを備え、第１の支柱部、第２の支柱部および脚柱部は、共に、一対のコアの他方と当接する位置まで延出しており、かつ１次巻線の近傍には、１次巻線により発生する磁束の一部をケース体に導くための防磁用コアが配置されているものである。
【０００８】
このように構成した場合には、１次巻線の近傍に防磁用コアが配置されているため、１次巻線により発生した磁束のうち第１の支柱部からケース体の底部へ向かう磁束が、防磁用コアを通過して再度ケース体へ入ることによって、ケース体と防磁用コアとの間で磁路が形成される。そのため、トランスの外側に磁束が漏れるのを防止することが可能となる。したがって、当該トランスが組み込まれた液晶ディスプレイ等の各種電気機器に、ノイズや渦電流が発生するのを防止することができる。
【０００９】
また、他の発明は、上述の発明に加えて更に、一対のコアの他方は、第１の支柱部と第２の支柱部とを結ぶＩ字型の形状をしたＩ型コアとなっており、当該Ｉ型コアにおける所定の位置には、脚柱部との間に所定の間隔を形成するための空隙部が形成されているものである。このように構成した場合には、脚柱部の端面とＩ型コアとの間に形成されるエアギャップを調整することが可能となる。このため、第１の支柱部、第２の支柱部および脚柱部の間に発生する磁路中の磁気抵抗を変化させることにより、１次巻き線と２次巻き線との電磁結合の大きさを調整することができることとなる。
【００１０】
さらに、他の発明は、上述の発明に加えて更に、防磁用コアはＵ字型をしており、ケース体の側枠の端面に沿って、当該端面と接触するように配置されているものである。このように構成した場合には、１次巻線が巻回されている第１の支柱部近傍が、防磁用コアによって囲まれることとなる。したがって、１次巻線により発生した磁束のうちケース体の底部へ向かう磁束は、当該底部を通過して一方の側枠から防磁用コアに入り、防磁用コアを通過して、他方の側枠に入ることとなる。したがって、トランスの外側に磁束が漏れるのをより効果的に防止することが可能となる。
【発明の効果】
【００１１】
本発明によると、トランスの外側へ磁束が漏れるのを防止することができる。
【発明を実施するための最良の形態】
【００１２】
以下、本発明の一実施の形態に係るトランス１０について、図１から図９に基づいて説明する。図１は、本発明の一実施の形態に係るトランス１０の斜視図であり、基板に実装されない面を上方にした状態を示す図である。また、図２は、図１のトランス１０においてケース体１２の外側から内部を透過的に示す斜視図である。図３は、図１のトランス１０を基板に実装される面から見た平面図である。また、図４は、図１のトランス１０の分解斜視図であり、基板に実装される面を上方とし、側方から見た状態を示す図である。図５は、図１のトランス１０の分解斜視図であり、基板に実装される面を上方にした状態を示す図である。また、図６は、図５において矢示Ｇ方向から見たトランス１０の正面図である。図７は、トランス１０を構成するケース体１２の構成を示す斜視図である。また、図８は、図３中のトランス１０をＨ−Ｈ線に沿って切断した側断面図であり、図９は、図３中のトランス１０をＫ−Ｋ線に沿って切断した断面を示す図である。なお、以下の説明において、上方側とは、ケース体１２が存在する側を指し、下方側とは、Ｕ型コア５０が存在する側を指すものとする。また、一端側とは左側を指し、他端側とは、右側を指すものとする。また、本実施の形態では、図１〜図７においては、１次巻線３８および２次巻線３９の図示は省略しているが、１次巻線３８は１次巻枠３０に、２次巻線３９は２次巻枠３５にそれぞれ巻回されているものとする。
【００１３】
図４および図８に示すように、トランス１０はリーケージ昇圧トランスであり、コア部材となるケース体１２と、１次巻線３８と、２次巻線３９と、１次巻線３８が巻回される１次巻枠３０と、２次巻線３９が巻回される２次巻枠３５と、ケース体１２と対向するように配置されるＩ型コア４０と、１次巻線３０により発生する磁束の一部をケース体１２に導くための防磁用のコアであるＵ型コア５０とから主に構成されている。
【００１４】
図７に示すように、ケース体１２は、底部１４と、その外縁から立設された側枠１６とから構成される有底かつ一端側が開口した箱型形状をしており、その内部には、支柱部（第１の支柱部）１８、支柱部（第２の支柱部）２０および脚柱部２２（以下、支柱部１８，２０および脚柱部２２をまとめてコア部２３という。）が設けられている。以下の説明において、ケース体１２とは、コア部２３を含めたものを指すものとする。コア部２３は、ケース体１２の一端側から他端側に向かって、支柱部１８、脚柱部２２、支柱部２０の順に所定の間隔をおいて設けられており、それぞれが互いに略平行となるように底部１４から開口側に向かって延出している。コア部２３は、側枠１６の端面１６ａとほぼ同じ高さまで延出している。支柱部１８の形状は、断面が略正方形の四角柱となっており、支柱部２０の形状は、断面円形の円柱となっている。また、脚柱部２２の形状は断面が長方形の四角柱となっている。また、ケース体１２は、フェライトにより形成されている。しかし、例えば、パーマロイ、センダスト、鉄カルボニル等の磁性材を用いても良い。ケース体１２の大きさは、高さ４．６ｍｍ、幅９．６ｍｍ、長さ３０ｍｍではあるがこれに限定されるものではない。
【００１５】
図５に示すように、支柱部１８および支柱部２０の外側には、１次巻枠３０および２次巻枠３５がそれぞれ配置される。また、１次巻枠３０および２次巻枠３５は、ケース体１２の底部１４に当接するように配置される。１次巻枠３０は、支柱部１８の形状に対応した、中心に略正方形の孔３０ａを有する略長方形の外形をした巻枠となっている。そして、その上下両端には全周に亘って外方に延出する鍔部３０ｂ，３０ｂが形成されている。また、２次巻枠３５も、支柱部２０の形状に対応した円孔３５ａを有する円筒形状となっており、その上下両端には全周に亘って外方に延出する鍔部３５ｂ，３５ｂが形成されている。
【００１６】
鍔部３０ｂの一方には、当該鍔部３０ｂからさらに外方に延出する端子部３１が設けられている。端子部３１は、略長方形の形状をした板部３１ａと、さらにその板部３１ａの端面から延出方向に向かって植設されている５つの端子３１ｂとから主に形成されている。また、板部３１ａの中央部は、図５に示すように、延出方向に向かって段差を形成するような凹部３１ｃが形成されている。そして、当該凹部３１ｃには、延出方向に対して垂直方向に向かって３つの突出部３１ｄが並ぶように形成されている。また、鍔部３５ｂの一方にも、当該鍔部３５ｂからさらに外方に延出するように端子部３６が形成されている。端子部３６は鍔部３５ｂから２つの翼部３６ａ，３６ａとに分かれており、それぞれの翼部３６ａ，３６ａの延出方向の端面には、外側に端子３６ｂが、そしてその内側に端子３６ｃがそれぞれ植設されている。すなわち、端子部３６には、合計４つの端子３６ｂ，３６ｃが設けられていることとなる。それぞれの翼部３６ａの内側には段部３６ｄが設けられており、段部３６ｄのそれぞれの平面には突起部３６ｅが、図５において上方に突出するように形成されている。また、翼部３６ａの一方の内側の端面には半円柱状に切り欠かれた切欠部３６ｆが形成されており、翼部３６ａの他方において当該切欠部３６ｆと対向する部位には突出部３６ｇが設けられている。
【００１７】
１次巻枠３０に形成されている孔３０ａは、４つの壁面によって囲まれている。図５における鍔部３０ｂには、当該４つの壁面のうちの端子部３１が形成されている側の壁面および端子部３１が延出する方向に沿った２つの対向する壁面となる３つの壁面の外側を囲むように位置決め部３０ｃが設けられている。当該位置決め部３０ｃは、後述するＩ型コア４０およびＵ型コア５０を位置決めする略Ｕ字状となっており、鍔部３０ｂの上端面３０ｄから、上方に向かって突出するように形成されている。また、端子部３６が形成されている側の鍔部３５ｂには、端子部３６から当該端子部３６が延出する方向とは逆の方向に向かって円孔３５ａを挟んで対向するように、Ｉ型コア４０を位置決めするための位置決め部３５ｃが、鍔部３５ｂの上端面３５ｄから上方に向かって突出するように形成されている。また、鍔部３０ｂにおける端子部３１と隣接する位置には、Ｕ型コア５０を位置決めするための位置決め部３０ｅが、端子部３１が延出する方向に対して垂直となる方向に、上端面３０ｄから上方に向かって突出するように形成されている。
【００１８】
１次巻枠３０および２次巻枠３５には、製造工程およびコスト等の効率化を図るために、当該１次巻枠３０および２次巻枠３５をそれぞれ支柱部１８および支柱部２０の外側に配置する前に、予め１次巻線３８および２次巻線３９が巻回されている。トランス１０は、昇圧トランスとして機能するため、２次巻線３９の巻回数は、１次巻線３８の巻回数より多いものとなっている。また、そのため、２次巻線３９の直径の大きさは１次巻線３８の直径の大きさよりも小さくなっている。さらに、２次巻線３９に出力される電圧の大きさは１５００〜２０００Ｖ以上とされ、その発振周波数は７０ｋＨｚとされている。また、支柱部１８には、１次巻線３８の他に、１次巻線３８で生じた電圧を巻線の巻数比により、再度１次側に帰還させるための帰還巻線が巻回されている。この帰還巻線の巻回を可能とするために端子３１ｂは５つ設けられている。
【００１９】
１次巻枠３０に巻回された１次巻線３８の端末は、それぞれ突出部３１ｄの側面に接するように端子部３１ｂに絡げられる。このように１次巻線３８の端末は、突出部３１ｄ間に形成された溝を通して端子３１ｂに絡げられる。このため、当該端末は、突出部３１ｄの存在により、溝に導かれた状態で端子３１ｂに絡げられる。また、２次巻枠３５への巻き始めは、２次巻線３９を一方の端子３６ｃから突起部３６ｅおよび突出部３６ｇによって、翼部３６ａ，３６ａとの間に形成されるスリット３６ｈの底部へと導き、巻軸に２次巻線３９を巻回する。また、巻き終わりは、巻軸に巻回された２次巻線３９を切欠部３６ｆから段部３６ｄ上に引出し、突起部３６ｅによって他方の端子３６ｃに導き、当該２次巻線３９を端子３６ｃに絡げる。なお、同相、逆相（入力電圧と出力電圧の位相差が０°と１８０°）とするために、巻き始めを他方の端子３６ｃ、巻き終わりを一方の端子３６ｃとし、逆巻きで２次巻線３９を巻軸に巻回するようにしても良い。
【００２０】
１次巻枠３０および２次巻枠３５がそれぞれ支柱部１８および支柱部２０の外側に配置された後、コア部２３と対向するようにＩ型コア４０が配置される。また、１次巻枠３０の近傍には、防磁用コアであるＵ型コア５０が配置される。Ｉ型コア４０はＩ字型の形状をした板状のコア部材であり、その一端側の側面は、Ｉ型コア４０の長手方向に対して直角となる方向に形成された端面４０ａとなっており、他端側の側面は半円形の形状をした半円側面４０ｂとなっている。また、Ｉ型コア４０において、コア部２３と対向する面の略中央部には、Ｉ型コア４０の長手方向に対して直角となる方向に凹部４０ｃが形成されている。Ｉ型コア４０がコア部２３と対向するように配置された状態では、Ｉ型コア４０の一端側および他端側におけるコア部２３と対向する面は、支柱部１８および支柱部２０とそれぞれ当接した状態となる。さらに、Ｉ型コア４０の一端側および他端側は、１次巻枠３０および２次巻枠３５から突出するように設けられた位置決め部３０ｃ，３５ｃによりそれぞれ位置決めされる。また、Ｉ型コア４０が、支柱部１８，２０とそれぞれ当接した状態では、凹部４０ｃの存在により、Ｉ型コア４０は、脚柱部２２との間にエアギャップ４２を形成する（図８参照）。なお、エアギャップ４２の大きさは、凹部４０ｃ深さまたは脚柱部２２の高さを変えることにより調節することが可能である。
【００２１】
一方、Ｕ型コア５０は、直線状の平板部５０ａの両端から、当該平板部５０ａに対して直角となる方向に２本の棒状の直板部５０ｂ，５０ｂが延出するように構成されている。Ｕ型コア５０は、図４および図５に示すように、平板部５０ａの鍔部３０ｂと対向する面が、位置決め部３０ｃと位置決め部３０ｅとの間の鍔部３０ｂの上端面３０ｄと当接すると共に、直板部５０ｂ，５０ｂのケース体１２と対向する面がケース体１２の側枠１６の端面１６ａにおける２つの長手方向に沿った部分に当接するように配置される。また、本実施の形態では、Ｉ型コア４０およびＵ型コア５０は、共に、フェライトにより形成されているが、例えば、パーマロイ、センダスト、鉄カルボニル等の磁性材を用いても良い。
【００２２】
上述したように、Ｉ型コア４０は、１次巻線３８が巻回されている支柱部１８と、２次巻線３９が巻回されている支柱部２０とに当接している。（図８参照）。このような構成により、トランス１０には、閉磁路が形成され、１次巻線３８と２次巻線３９とで電磁結合がなされる。さらに、Ｉ型コア４０と脚柱部２２との間にはエアギャップ４２が設けられているため、支柱部１８と支柱部２０との間においてのみならず、支柱部１８と脚柱部２２との間および脚柱部２２と支柱部２０との間においても磁路が形成される。したがって、例えば、図８における矢示Ａ，Ｂ，Ｃで示すように、トランス１０には、３つの磁路が形成される。ここでは、磁路Ｂにより、１次巻線３８で発生した磁束の一部を脚柱部２２に漏らして、残りの磁束を２次巻線３９に伝達している。また、脚柱部２２のエアギャップ４２を調整することで、リーケージインダクタンスを調整し、支柱部２０を通過する磁束の大きさを調整することができる。そのため、２次巻線３９に誘起される電圧の調整を行うことが可能となる。
【００２３】
１次巻線３８によって発生した磁束のうちケース体１２の底部１４へ向かう磁束は、例えば、図９における矢示Ｅで示すように支柱部１８から底部１４および他端側の側枠１６を通過してＵ型コア５０の一方の直板部５０ｂに入る。そして、直板部５０ｂに入った磁束はＵ型コア５０の平板部５０ａを通過して、他方の直板部５０ｂに向かう。そして、他方の直板部５０ｂから、図９に示すように、当該磁束は再び一端側の側枠１６を通過し底部１４に到達する。このように支柱部１８から底部１４へ向かう磁束は、ケース体１４とＵ型コア５０との間で磁路を形成する。このため、トランス１０の外部への磁束の漏れはほとんどなくなる。一方、Ｕ型コア５０を通過した後、底部１４を通過する磁束のうちの一部は、矢示Ｆで示すように、Ｉ型コア４０の方へ向かう。そして、この磁束は上述したように、コア部２３との間で閉磁路を形成する。
【００２４】
以上のように構成されたトランス１０では、Ｕ型コア５０が、１次巻線３８の近傍に配置されている。このため、１次巻線３８により発生した磁束のうち支柱部１８からケース体１２の底部１４へ向かう磁束は、側枠１６を通過しＵ型コア５０に入り、Ｕ型コア５０を通過した後、再びケース体１２に入る。このように、Ｕ型コア５０を介することで、ケース体１２とＵ型コア５０との間で、新たな磁路が形成される。そのため、トランス１０の外側への磁束漏れが防止できる。したがって、トランス１０が組み込まれた液晶ディスプレイ等の各種電子部品にノイズや渦電流が発生するのを防止することができる。
【００２５】
また、トランス１０では、Ｉ型コア４０には凹部４０ｃが設けられているため、Ｉ型コア４０を支柱部１８，２０と当接させるように配置した場合、柱脚部２２とＩ型コア４０との間にはエアギャップ４２が形成される。したがって、当該エアギャップ４２の大きさを調整することで、図８の矢示Ａ，Ｂ，Ｃに示す磁路中の磁気抵抗を変化させ、当該磁路を通過する磁束の強さを変化させることが可能となる。このため、２次巻線３９に誘起する電圧を変化させることで、１次巻線３８と２次巻線３９との電磁結合の大きさを調整することができる。
【００２６】
また、トランス１０では、Ｕ型コア５０は、鍔部３０ｂの上端面３０ｄおよび側枠１６の端面１６ａにおける２つの長手方向に沿った部分に当接するように配置されている。そのため、Ｕ型コア５０を通過する磁束経路が形成され、１次巻線３８で発生した磁束は、確実にＵ型コア５０を通過することとなる。そのため、１次巻線３８が巻回されている付近からの外部への磁束の漏れをより確実に防止することができる。また、電力を伝達するための磁路経路に対して垂直方向にＵ型コア５０を配置することで、当該Ｕ型コア５０とケース体１２とを通過する磁路経路を作ることにより、１次巻線３８で発生する不要輻射（あらゆる方向の）をシールドすることが可能となる。
【００２７】
以上、本発明の一実施の形態について説明したが、本発明はこれ以外にも種々変形可能となっている。以下、それについて述べる。
【００２８】
上述の実施の形態では、脚柱部２２は、支柱部１８と支柱部２０の間に設けられているが、これに限らず、支柱部１８または支柱部２０の外側に設けるようにしても良い。
【００２９】
また、上述の実施の形態では、防磁用コアとして、Ｕ字状をしたＵ型コア５０を採用しているが、Ｕ字状に限らず、例えば、長方形をした枠状のものやＩ字状等他の形状としても良い。また、長方形の枠状のものとした場合、２次側の端面１６ａを囲むようにしても良い。
【００３０】
また、上述の実施の形態では、防磁用コアとして、Ｕ型コア５０を採用しているが、この防磁用コアを別部材とせず、ケース体１２と一体成型するようにしてもよい。また、側枠１６の端面１６ａを実装された基板と接するように形成し、漏れ磁束をケース体１２によって完全にシールドするようにしても良い。
【００３１】
また、上述の実施の形態では、１次巻枠３０の外形を略正方形、また２次巻枠３５の外形を円形としているが、１次巻枠３０、２次巻枠３５の両者を略正方形としても良いし、円形としても良い。
【００３２】
また、上述の実施の形態では、Ｉ型コア４０に凹部４０ｃを設けることで、Ｉ型コア４０と脚柱部２２との間にエアギャップ４２を設けるようにしているが、Ｉ型コア４０に凹部４０ｃを設けずに、脚柱部２２の高さのみを変えることによって、エアギャップ４２の大きさを調整するようにしても良い。また、Ｉ型コア４０に絶縁テープを貼り付けることにより、支柱部１８，２０にギャップを構成するようにしても良いし、支柱部１８，２０および脚柱部２２の高さを変えてギャップを構成するようにしても良い。
【００３３】
また、上述の実施の形態では、１次巻枠３０および２次巻枠３５に１次巻線３８および２次巻線３９を巻回しているが、これらの巻枠３０，３５のどちらか一方または両方を省略して直接、支柱部１８，２０に巻線３８，３９を巻回するようにしても良い。
【００３４】
また、上述の実施の形態では、１次巻線３８に発生する発振周波数は７０ｋＨｚとされているが、これに限らず、４０Ｈｚ〜１００Ｈｚの範囲における周波数としても良い。
【産業上の利用可能性】
【００３５】
本発明のトランスは、カーナビゲーションやノートパソコン等に使用される各種液晶表示パネルにおけるバックライトにおいて利用することができる。
【図面の簡単な説明】
【００３６】
【図１】本発明の一実施の形態に係るトランスの斜視図であり、基板に実装されない面を上方にした状態を示す図である。
【図２】図１のトランスにおいてケース体の外側から内部を透過的に示す斜視図である。
【図３】図１のトランスを基板に実装される面から見た平面図である。
【図４】図１のトランスの分解斜視図であり、基板に実装される面を上方とし側方から見た状態を示す図である。
【図５】図１のトランスの分解斜視図であり、基板に実装される面を上方にした状態を示す図である。
【図６】図５中において矢示Ｇ方向から見たトランス１０の正面図である。
【図７】図１のトランスを構成するケース体１２の構成を示す斜視図である。
【図８】図３中のトランスをＨ−Ｈ線に沿って切断した側断面図である。
【図９】図３中のトランスをＫ−Ｋ線に沿って切断した断面を示す図である。
【符号の説明】
【００３７】
１０…トランス
１２…ケース体（一対のコアの一方に対応）
１４…底部
１６…側枠
１８…支柱部（第１の支柱部に対応）
２０…支柱部（第２の支柱部に対応）
２２…脚柱部
３８…１次巻線
３９…２次巻線
４０…Ｉ型コア（一対のコアの他方に対応）
４０ａ…凹部（空隙部に対応）
４２…エアギャップ
５０…Ｕ型コア（防磁用コアに対応）
【図１】
2006269585.tif 000003
【図２】
2006269585.tif 000004
【図３】
2006269585.tif 000005
【図４】
2006269585.tif 000006
【図５】
2006269585.tif 000007
【図６】
2006269585.tif 000008
【図７】
2006269585.tif 000009
【図８】
2006269585.tif 000010
【図９】
2006269585.tif 000011